【手続補正書】
【提出日】平成27年4月10日(2015.4.10)
【手続補正１】
【補正対象書類名】特許請求の範囲
【補正対象項目名】全文
【補正方法】変更
【補正の内容】
【特許請求の範囲】
【請求項１】
対象の脳に関連し、不連続点を有する少なくとも１つのインピーダンスプレチスモグラフィー信号を受信し、
前記対象の脳における圧力に影響する因子を表す少なくとも１つの波形を前記少なくとも１つのインピーダンスプレチスモグラフィー信号から抽出し、かつ
前記少なくとも１つの波形に基づき、少なくとも１つの頭蓋内血行動態パラメータを推定するように構成される、少なくとも１つのプロセッサを備える、頭蓋内血行動態測定装置。
【請求項２】
前記少なくとも１つの頭蓋内血行動態パラメータが、頭蓋内圧を含む、請求項１に記載の装置。
【請求項３】
前記少なくとも１つの波形に基づき前記少なくとも１つの頭蓋内血行動態パラメータを推定するように構成される前記少なくとも１つのプロセッサが、
前記抽出された波形の少なくとも１つの時間特性を決定し、かつ
前記抽出された波形の前記少なくとも１つの時間特性に基づき、前記少なくとも１つの頭蓋内血行動態パラメータを推定するようにさらに構成される、請求項１に記載の装置。
【請求項４】
前記少なくとも１つの時間特性が、心周期長、前記抽出された波形の２つのピーク間の時間間隔、および前記抽出された波形のピークと最小値との間の時間間隔のうちの少なくとも１つを含む、請求項３に記載の装置。
【請求項５】
前記少なくとも１つの波形に基づき前記少なくとも１つの頭蓋内血行動態パラメータを推定するように構成される前記少なくとも１つのプロセッサが、
前記抽出された波形の少なくとも１つの振幅特性を決定し、かつ
前記抽出された波形の前記少なくとも１つの振幅特性に基づき、前記少なくとも１つの頭蓋内血行動態パラメータを推定するようにさらに構成される、請求項１に記載の装置。
【請求項６】
前記少なくとも１つの振幅特性が、平均値、ピーク間の範囲、一次導関数の最大値、一次導関数の最小値、粗さ測定値、および尖度測定値のうちの少なくとも１つを含む、請求項５に記載の装置。
【請求項７】
前記少なくとも１つの波形に基づき前記少なくとも１つの頭蓋内血行動態パラメータを推定するように構成される前記少なくとも１つのプロセッサが、
前記抽出された波形の少なくとも１つの振幅特性および少なくとも１つの時間特性を決定し、
少なくとも１つ振幅特性および前記少なくとも１つの時間特性に基づき少なくとも１つの組み合わされた特性を決定し、かつ
前記抽出された波形の前記少なくとも１つの組み合わされた特性に基づき少なくとも１つの頭蓋内血行動態パラメータを推定するようにさらに構成される、請求項１に記載の装置。
【請求項８】
前記少なくとも１つの組み合わされた特性が、
心周期の開始と前記抽出された波形の一次導関数の最小値との間の時間間隔、心周期間隔の逆数、および前記一次導関数の最小値の累乗積、ならびに
心周期の開始と前記抽出された波形の前記一次導関数の最大値との間の時間間隔、前記心周期間隔の前記逆数、および前記一次導関数の最大値の累乗積のうちの少なくとも１つを含む、請求項７に記載の装置。
【請求項９】
前記少なくとも１つの波形が、大きさの波形、位相角度波形、抵抗波形、およびリアクタンス波形のうちの少なくとも１つを含む、請求項１に記載の装置。
【請求項１０】
前記対象の前記脳に関連する前記少なくとも１つのインピーダンスプレチスモグラフィー信号が、少なくとも１つの左半球インピーダンスプレチスモグラフィー信号および少なくとも１つの右半球インピーダンスプレチスモグラフィー信号を含む、請求項１に記載の装置。
【請求項１１】
対象の脳に関連する少なくとも１つのインピーダンスプレチスモグラフィー信号を受信し、
前記対象に関連する少なくとも１つの補足的生理信号を受信し、
前記インピーダンスプレチスモグラフィー信号および前記補足的生理信号に基づき前記少なくとも１つの頭蓋内血行動態パラメータを推定するように構成される、少なくとも１つのプロセッサを備える、頭蓋内血行動態測定装置。
【請求項１２】
前記少なくとも１つの補足的生理信号が、動脈圧信号およびＥＣＧ信号のうちの少なくとも１つを含む、請求項１１に記載の装置。
【請求項１３】
前記ＩＰＧ信号および前記補足的生理信号に基づき前記少なくとも１つの頭蓋内血行動態パラメータを推定するように構成される前記少なくとも１つのプロセッサが、
前記インピーダンスプレチスモグラフィー信号から少なくとも１つの波形を抽出し、
前記補足的生理信号から少なくとも１つの補足的波形を抽出し、かつ
前記少なくとも１つの波形および前記少なくとも１つの補足的波形に基づき前記少なくとも１つの頭蓋内血行動態パラメータを推定するようにさらに構成される、請求項１１に記載の装置。
【請求項１４】
前記少なくとも１つの波形および前記少なくとも１つの補足的波形に基づき前記少なくとも１つの頭蓋内血行動態パラメータを推定するように構成される前記少なくとも１つのプロセッサが、
前記少なくとも１つの波形および前記少なくとも１つの補足的波形の少なくとも１つの特性を決定し、かつ
前記少なくとも１つの波形および前記少なくとも１つの補足的波形の前記少なくとも１つの特性に基づき前記少なくとも１つの頭蓋内血行動態パラメータを推定するようにさらに構成される、請求項１３に記載の装置。
【請求項１５】
頭蓋内血行動態パラメータを測定する方法であって、
対象の脳に関連し、不連続点を有する少なくとも１つのインピーダンスプレチスモグラフィー信号を受信することと、
前記対象の脳における圧力に影響する因子を表す少なくとも１つの波形を前記少なくとも１つのインピーダンスプレチスモグラフィー信号から抽出することと、
前記少なくとも１つの波形に基づき少なくとも１つの頭蓋内血行動態パラメータを推定することと、を含む、方法。
【請求項１６】
前記少なくとも１つの頭蓋内血行動態パラメータが頭蓋内圧を含む、請求項１５に記載の方法。
【請求項１７】
前記抽出された波形の少なくとも１つの時間特性を決定することをさらに含み、前記少なくとも１つの頭蓋内血行動態パラメータを推定することが、前記抽出された波形の前記少なくとも１つの時間特性に基づき前記少なくとも１つの頭蓋内血行動態パラメータを推定することを含む、請求項１５に記載の方法。
【請求項１８】
前記抽出された波形の少なくとも１つの振幅特性を決定することをさらに含み、
前記少なくとも１つの頭蓋内血行動態パラメータを推定することが、前記抽出された波形の前記少なくとも１つの振幅特性に基づき前記少なくとも１つの頭蓋内血行動態パラメータを推定することを含む、請求項１５に記載の方法。
【請求項１９】
前記抽出された波形の少なくとも１つの振幅特性および少なくとも１つの時間特性を決定することと、
前記少なくとも１つの振幅特性および前記少なくとも１つの時間特性の組み合わされた特性を決定することと、をさらに含み、
前記少なくとも１つの頭蓋内血行動態パラメータを推定することが、前記抽出された波形の前記少なくとも１つの組み合わされた特性に基づき前記少なくとも１つの頭蓋内血行動態パラメータを推定することを含む、請求項１５に記載の方法。
【請求項２０】
前記対象に関連する少なくとも１つの補足的生理信号を受信することと、
前記少なくとも１つの補足的生理信号において、少なくとも１つの補足的波形を決定することと、
前記少なくとも１つの波形および前記少なくとも１つの補足的波形に基づき前記少なくとも１つの頭蓋内血行動態パラメータを推定することと、をさらに含む、請求項１５に記載の方法。